(57)【要約】      （修正有）【課題】溶接による電池の短絡、又はオープン回路になることを防止することができ、不良率を大幅に減少することができる電池を提供する。【解決手段】正極材料膜と、正極材料膜の一側に延びるアルミ露呈区１２と、を含む少なくとも一つの正極薄膜と、負極材料膜と、負極材料膜の一側に延びる銅露呈区２２と、を含み、正極薄膜と交互に重ねる負極薄膜と、正極薄膜と負極薄膜の間に配される離隔膜と、少なくとも一つの正極薄膜のアルミ露呈区の少なくとも一部を挟む正極挟みブロック４０と、少なくとも一つの負極薄膜の銅露呈区の少なくとも一部を挟む負極挟みブロック５０と、正極挟みブロックに溶接された正極導電柄６０と、負極挟みブロックに溶接された負極導電柄７０と、正極薄膜と負極薄膜と離隔膜と正極挟みブロックと負極挟みブロックと正極導電柄と負極導電柄を収容するシェルと、シェル内に充填される電解液とを含む。【選択図】図１
0003161418.tif 000002
【実用新案登録請求の範囲】
【請求項１】
正極材料膜と、前記正極材料膜の一側に延びるアルミ露呈区と、を含む少なくとも一つの正極薄膜と、
負極材料膜と、前記負極材料膜の一側に延びる銅露呈区と、を含み、前記正極薄膜と交互に重ねる負極薄膜と、
前記正極薄膜と前記負極薄膜の間に配設され、前記正極材料膜と前記負極材料膜を離隔する離隔膜と、
前記正極薄膜の前記アルミ露呈区の一部を挟む正極挟みブロックと、
前記負極薄膜の前記銅露呈区の一部を挟む負極挟みブロックと、
前記正極挟みブロックに溶接された正極導電柄と、
前記負極挟みブロックに溶接された負極導電柄と、
前記正極薄膜と前記負極薄膜と前記離隔膜と前記正極挟みブロックと前記負極挟みブロックと前記正極導電柄と前記負極導電柄を収容するシェルと、
前記シェル内に充填される電解液と、を含み、
前記アルミ露呈区と前記銅露呈区は前記離隔膜の両側から外部へ突出されることを特徴とする電池。
【請求項２】
前記正極挟みブロックは、正挟み外面と、正挟み内面と、を有し、
前記負極挟みブロックは、負挟み外面と、負挟み内面と、を有し、
前記正挟み内面は前記正極薄膜の前記アルミ露呈区に対向し、
前記負挟み内面は前記負極薄膜の前記銅露呈区に対向し、
前記正極導電柄は前記正挟み外面に溶接され、
前記負極導電柄は前記負挟み外面に溶接されることを特徴とする、請求項１に記載の電池。
【請求項３】
前記正極挟みブロックは、正挟み外面と、正挟み内面と、を有し、
前記負極挟みブロックは、負挟み外面と、負挟み内面と、を有し、
前記正挟み内面は前記正極薄膜の前記アルミ露呈区に対向し、
前記負挟み内面は前記負極薄膜の前記銅露呈区に対向し、
前記正極導電柄は前記正挟み内面と前記アルミ露呈区の間に溶接され、
前記負極導電柄は前記負挟み内面と前記銅露呈区の間に溶接されることを特徴とする、請求項１に記載の電池。
【請求項４】
前記正極薄膜と前記負極薄膜と前記離隔膜はコイル状に巻かれることを特徴とする、請求項１乃至請求項３の何れか１項に記載の電池。
【請求項５】
前記正極薄膜と前記負極薄膜と前記離隔膜は一つの軸に巻き付けられることを特徴とする、請求項４に記載の電池。
【請求項６】
前記正極薄膜と前記負極薄膜と前記離隔膜は平板状を呈することを特徴とする、請求項１乃至請求項３の何れか１項に記載の電池。
【考案の詳細な説明】
【技術分野】
【０００１】
本考案は電池に関し、特に、正極薄膜と負極薄膜を交互に重ねて構成される電池に関するものである。
【背景技術】
【０００２】
市販している、正極薄膜と負極薄膜を交互に重ね正極薄膜と負極薄膜の間に離隔膜が配される電池は、前記正極薄膜の両側にアルミ露呈区が延ばれ、前記負極薄膜の両側に銅露呈区が延ばれ、前記アルミ露呈区と前記銅露呈区とに導電柄が溶接される。
【０００３】
しかしながら、前記アルミ露呈区と前記銅露呈区の厚さが極めて薄いため、前記アルミ露呈区と前記銅露呈区とに導電柄を溶接しているときには、振動が発生すると破損になる。前記アルミ露呈区と前記銅露呈区と前記導電柄の溶接箇所に破損がある場合には、電池が短絡し、又はオープン回路になり、これにより不良率が高くなるという問題があった。
【考案の概要】
【考案が解決しようとする課題】
【０００４】
本考案の主な目的は、アルミ露呈区と銅露呈区とに挟みブロックを挟んで、挟みブロックに導電柄を溶接することにより、溶接による電池の短絡、又はオープン回路になることを防止することができ、不良率を大幅に減少することができる電池を提供することにある。
【課題を解決するための手段】
【０００５】
本考案の電池によると、正極材料膜と、前記正極材料膜の一側に延びるアルミ露呈区と、を含む少なくとも一つの正極薄膜と、負極材料膜と、前記負極材料膜の一側に延びる銅露呈区と、を含み、前記正極薄膜と交互に重ねる負極薄膜と、前記正極薄膜と前記負極薄膜の間に配され、前記正極材料膜と前記負極材料膜を離隔する離隔膜と、少なくとも一つの前記正極薄膜の前記アルミ露呈区の少なくとも一部を挟む正極挟みブロックと、少なくとも一つの前記負極薄膜の前記銅露呈区の少なくとも一部を挟む負極挟みブロックと、前記正極挟みブロックに溶接された正極導電柄と、前記負極挟みブロックに溶接された負極導電柄と、前記正極薄膜と前記負極薄膜と前記離隔膜と前記正極挟みブロックと前記負極挟みブロックと前記正極導電柄と前記負極導電柄を収容するシェルと、前記シェル内に充填される電解液と、を含み、前記アルミ露呈区と前記銅露呈区が前記離隔膜の両側から外部に突出することを特徴とする。
【０００６】
本考案の電池によると、前記正極挟みブロックは、正挟み外面と、正挟み内面と、を有し、前記負極挟みブロックは、負挟み外面と、負挟み内面と、を有し、前記正挟み内面が前記正極薄膜の前記アルミ露呈区に対向し、前記負挟み内面が前記負極薄膜の前記銅露呈区に対向し、前記正極導電柄が前記正挟み外面に溶接され、前記負極導電柄が前記負挟み外面に溶接されることを特徴とする。
【０００７】
本考案の電池によると、前記正極挟みブロックは、正挟み外面と、正挟み内面と、を有し、前記負極挟みブロックは、負挟み外面と、負挟み内面と、を有し、前記正挟み内面が前記正極薄膜の前記アルミ露呈区に対向し、前記負挟み内面が前記負極薄膜の前記銅露呈区に対向し、前記正極導電柄が前記正挟み内面と前記アルミ露呈区の間に溶接され、前記負極導電柄が前記負挟み内面と前記銅露呈区の間に溶接されることを特徴とする。
【０００８】
本考案の電池によると、前記正極薄膜と前記負極薄膜と前記離隔膜はコイル状に巻かれることを特徴とする。
【０００９】
本考案の電池によると、前記正極薄膜と前記負極薄膜と前記離隔膜は一つの軸に巻き付けられることを特徴とする。
【００１０】
本考案の電池によると、前記正極薄膜と前記負極薄膜と前記離隔膜は平板状を呈することを特徴とする。
【考案の効果】
【００１１】
本考案の電池によれば、アルミ露呈区と銅露呈区とに挟みブロックを挟んで、挟みブロックに導電柄を溶接することにより、溶接による電池の短絡、又はオープン回路になることを防止することができ、不良率を大幅に減少することができるという効果を有する。
【図面の簡単な説明】
【００１２】
【図１】本考案の実施例の電池の模式図である。
【図２】本考案の正極薄膜、負極薄膜および離隔膜の配列を示す模式図である。
【図３】本考案の実施例の電池の側面図である。
【図４】本考案の別の実施例の電池の側面図である。
【図５】本考案の更に別の実施例の電池の分解斜視図である。
【考案を実施するための形態】
【００１３】
以下、本考案の実施の形態を図面に基づいて説明する。
まず、図１及び図２を参照する。本考案の実施例の電池は、少なくとも一つの正極薄膜１０と、少なくとも一つの負極薄膜２０と、少なくとも一つの離隔膜３０と、正極挟みブロック４０と、負極挟みブロック５０と、正極導電柄６０と、負極導電柄７０と、上記の部品を収容するシェル（図示せず）と、前記シェル内に充填される電解液と、を含む。
【００１４】
前記正極薄膜１０は、正極材料膜１１と、前記正極材料膜１１の一側に延びるアルミ露呈区１２と、を含む。前記正極材料膜１１は、ＬｉＣｏＯ２、ＬｉＭｎ２Ｏ２、ＬｉＮｉＯ４やＬｉＣｏＸＮｉ１-ＸＯ２などの材料で作製される。実際に、正極材料膜は、バナジウム、チタン、クロム、銅、モリブデン、ニオビウム、鉄、ニッケル、コバルト、又はマンガンの酸化リチウム、硫化リチウム、セレン化リチウム、テルル化リチウム、燐酸鉄化リチウム、燐酸バナジウム化リチウム、又はこれらの混合物を採用してもよい。なお、本考案はこれらを限定されるものではない。前記正極材料膜１０はアルミ箔を含むことが好ましい。前記アルミ箔の一部の表面に前記正極材料が塗布されて正極材料膜１１を形成する。前記アルミ箔の前記正極材料は塗布されない部分がアルミ露呈区１２になる。
【００１５】
前記負極薄膜２０は、負極材料膜２１と、前記負極材料膜２１の一側に延びる銅露呈区２２と、を含む。前記負極材料膜２１は、介相結晶炭素（ＭＣＭＢ）、気相成長炭素繊維（ＶＧＣＦ）、ナノ炭素チューブ（ＣＮＴ）、コーラ、カーボンブラック、黒鉛、アセチレンブラック、炭素繊維、ガラス質炭素、又はこれらの混合物で作製される。前記負極材料膜２０は銅箔を含むことが好ましい。前記銅箔の一部の表面に前記負極材料が塗布されて負極材料膜２１を形成する。前記銅箔の前記負極材料は塗布されない部分が銅露呈区２２になる。
【００１６】
前記正極薄膜１０と前記負極薄膜２０は、交互に重ね、その間に離隔膜３０が配され、前記離隔膜３０により前記正極材料膜１１と前記負極材料膜２１が離隔される。前記アルミ露呈区１２と前記銅露呈区２２は、それぞれ前記離隔膜３０の両側から外部へ突出する。前記離隔膜３０の材料は、例えば、ポリプロピレン又はポリエチレンを採用する。
【００１７】
前記正極挟みブロック４０は、断面がコ字形を呈し、前記アルミ露呈区１２の少なくとも一部を挟む。前記正極挟みブロック４０はアルミで作製されることが好ましい。これにより、前記正極挟みブロック４０は前記アルミ露呈区１２と電気的に連接する。
【００１８】
前記負極挟みブロック５０は、断面がコ字形を呈し、前記銅露呈区２２の少なくとも一部を挟む。前記負極挟みブロック５０は銅で作製されることが好ましい。これにより、前記負極挟みブロック５０は前記銅露呈区２２と電気的に連接する。
【００１９】
前記正極導電柄６０が前記正極挟みブロック４０に溶接され、前記負極導電柄７０が前記負極挟みブロック５０に溶接され、これにより、前記正極導電柄６０が前記正極薄膜１０と電気的に連接し、前記負極導電柄７０が前記負極薄膜２０と電気的に連接する。前記正極導電柄６０と前記負極導電柄７０の溶接端から遠ざかった一端は、それぞれ前記シェルの両側へ延び、電池の正極接触点と負極接触点になる。前記正極導電柄６０の溶接材料はアルミを採用することができ、前記負極導電柄７０の溶接材料は銅を採用することができる。
【００２０】
詳細に説明すると、前記正極挟みブロック４０は、正挟み外面と、正挟み内面と、を有し、前記負極挟みブロック５０は、負挟み外面と、負挟み内面と、を有する。前記正挟み内面は前記アルミ露呈区１２に対向し、前記負挟み内面は前記銅露呈区２２に対向する。
【００２１】
図１及び図３に示す実施例では、前記正極導電柄６０が前記正挟み外面に溶接され、前記負極導電柄７０が前記負挟み外面に溶接される。図４に示す実施例では、前記正極導電柄６０が前記正挟み内面と前記アルミ露呈区の間に溶接され、前記負極導電柄７０が前記負挟み内面と前記銅露呈区の間に溶接される。
【００２２】
本考案では、前記正極薄膜１０と前記負極薄膜２０と前記離隔膜３０は、図１及び図２に示すように、平板状を呈してもいいし、図５に示すように、コイル状に巻かれてもいいし、一つの軸（図示せず）に巻き付けられてもよい。
【００２３】
上記の説明から明らかなように、アルミ露呈区と銅露呈区とに挟みブロックを挟んで、挟みブロックに導電柄を溶接することにより、溶接による電池の短絡、又はオープン回路になることを防止することができ、不良率を大幅に減少することができる。
【００２４】
なお、本考案は前記実施の形態に限定されるものではなく、本考案の趣旨に基づいて種々変形させることが可能であり、それらは本考案の実用新案登録請求の範囲から排除するものではない。
【産業上の利用可能性】
【００２５】
本考案は、電池に適用することができる。
【符号の説明】
【００２６】
１０：正極薄膜、１１：正極材料膜、１２：アルミ露呈区、２０：負極薄膜、２１：負極材料膜、２２：銅露呈区、３０：離隔膜、４０：正極挟みブロック、５０：負極挟みブロック、６０：正極導電柄、７０：負極導電柄。
【図１】
0003161418.tif 000003
【図２】
0003161418.tif 000004
【図３】
0003161418.tif 000005
【図４】
0003161418.tif 000006
【図５】
0003161418.tif 000007